(57)【要約】【課題】本発明は、携帯電話やＰＤＡといった携帯端末装置において、装置全体で可撓性をもたせる事により、携帯時において人との親和性が高く、かつ耐久性を向上させた携帯端末装置を得ることを目的とする。【解決手段】本発明の携帯端末装置は、可撓性の筺体、筺体に内蔵される内蔵体を備え、内蔵体は、非可撓性の複数の基板２，３，４と、該複数の第１要素を第１方向に連結する可撓性のフレキシブル基板８，９を備えて構成される。【選択図】  図１
2008306244.tif 000002
【特許請求の範囲】
【請求項１】
可撓性の筺体と、
前記筺体に内蔵される内蔵体とを備え、
前記内蔵体は、非可撓性の複数の第１要素と、該複数の第１要素を第１方向に連結する可撓性の第２要素とを備える、携帯端末装置。
【請求項２】
前記複数の第１要素を第２方向に連結する可撓性の第３要素をさらに備える、請求項１に記載の携帯端末装置。
【請求項３】
前記第２要素または第３要素は、フレキシブル基板またはフレキシブルディスプレイを含む、請求項１または請求項２に記載の携帯端末装置。
【請求項４】
前記第１要素上に配設され、前記第１要素の剛性を補強する補強部材をさらに備える、請求項１から請求項３のいずれかに記載の携帯端末装置。
【請求項５】
前記補強部材は電池を含む、請求項４に記載の携帯端末装置。
【発明の詳細な説明】
【技術分野】
【０００１】
この発明は携帯端末装置に関し、特に装置に可撓性を有するものに関する。
【背景技術】
【０００２】
携帯端末装置は、携帯電話やＰＤＡ（Personal Digital Assistants）といったものに代表されるものであり、すでに実用化され日常的に使用されているが、従来の携帯端末装置は製品全体が硬筐体で構成されているものであった。携帯端末装置において全体が硬いという要素は、例えばズボンのポケットに入れた場合に痛いと感じる、また衣服に負担をかける等の点で、携帯時における人との親和性を低下させる要因となりうる。
【０００３】
一方、柔軟なデバイスとしては、すでに実用化されているフレキシブル基板や、近年開発が進められているフレキシブルディスプレイ等が挙げられる。フレキシブルディスプレイは電子ペーパー、ペーパーディスプレイとも呼ばれるものであり、デバイスとしては有機ＥＬやフィルム液晶に代表される。携帯端末装置に柔軟なデバイスを搭載した例として以下のような文献がある。
【０００４】
特許文献１は、フレキシブルディスプレイを有する携帯端末装置に関するものであり、フレキシブルディスプレイを屈曲させて収納することで、大型のディスプレイと小型の筐体の両立を提案するものである。
【０００５】
特許文献２は、フレキシブルディスプレイとアクチュエータを有する携帯端末装置に関するものであり、自己変形するディスプレイを提案するものである。
【０００６】
【特許文献１】特開２００２−２４７１６４号公報
【特許文献２】特開２００３−２８０５４６号公報
【発明の開示】
【発明が解決しようとする課題】
【０００７】
上述の文献は、柔軟なデバイスを用いることで製品の一部が柔軟である携帯端末装置を開示したものであるが、製品全体が柔軟であることは開示しておらず、携帯端末装置全体は硬い筐体で構成されているものである。製品全体が硬い筐体で構成されている理由は、携帯端末装置の機能実現には半導体やスピーカー、コネクタ等の屈曲不可なデバイスが不可欠であり、それらを保護するために全体を硬い筐体で構成する設計が一般的だからである。製品の一部に柔軟性があるだけでは、携帯時における人との親和性の向上はあまり期待できない。
【０００８】
また、製品全体が硬い携帯端末装置は、力が加わって筐体が変形したときに破壊に至りやすいという問題もあった。
【０００９】
本発明は上記の問題を解決するためになされたものであり、携帯端末装置の全体において可撓性をもった装置とすることにより、携帯時における人との親和性が高く、耐久性を向上させた携帯端末装置を得ることを目的とする。
【課題を解決するための手段】
【００１０】
本発明の携帯端末装置は、可撓性の筺体、筺体に内蔵される内蔵体を備え、内蔵体は、非可撓性の複数の第１要素と、該複数の第１要素を第１方向に連結する可撓性の第２要素を備えて構成される。
【発明の効果】
【００１１】
携帯端末装置において装置全体に可撓性をもたせることにより、携帯時における人との親和性が高くなる。携帯端末において、「ウェアラブル（身に着けることができる）」という概念があるが、可撓性を有することはウェアラブルの重要な要素技術であると考えられる。
【００１２】
また、本発明の構造では、携帯端末に力が加わったときは屈曲可能な部分が屈曲することで力が分散するため、携帯端末の実使用環境における耐久性を向上させる効果もある。
【発明を実施するための最良の形態】
【００１３】
以下、この発明をその実施の形態を示す図面に基づいて具体的に説明する。
【００１４】
＜実施の形態１＞
（構成）
図１〜図３は、実施の形態１に係る携帯端末装置の斜視図を示す。本実施の形態は携帯電話機を想定したものであり、図１は回路基板の状態を示した図、図２は図１の非可撓性の部分に補強部材を配設した図、図３は筐体外観を示す。各々の図について、（ａ）は表側、（ｂ）は裏側を示す。なお、図１〜図３に示すように、水平方向であって装置の横方向（左右方向）をｘ軸方向、水平方向であって前記ｘ軸方向に対し垂直な方向（装置の前後方向）をｙ軸方向、垂直方向（上下方向）をｚ軸方向とする。
【００１５】
図１について、電子部品を実装する非可撓性の基板２，３，４、および可撓性のフレキシブルディスプレイ１を有する。フレキシブルディスプレイ１には、フレキシブルディスプレイ1からの信号線を通すための、可撓性のフレキシブル基板１０が接続されている。
【００１６】
基板２の表側にはスピーカー５が設置されている。基板３の表側にはキー６が複数設置されており、その裏側には非可撓性の半導体部品であるＬＳＩ１２、および前述したフレキシブル基板１０を接続するためのコネクタ１１が設置されている。基板４の表側には複数のキー６とマイク７が設置されており、その裏側には非可撓性の半導体部品であるＬＳＩ１３，１４が設置されている。
【００１７】
フレキシブルディスプレイ１に接続されたフレキシブル基板１０は、基板３の裏側に設置されたコネクタ１１と接続される。
【００１８】
可撓性のフレキシブル基板（第２要素）８は非可撓性の複数の基板（第１要素）２，３をフレキシブルディスプレイ１の裏側を介してｙ軸方向（第１方向）に連結し、可撓性のフレキシブル基板（第２要素）９は非可撓性の複数の基板（第１要素）３，４をｙ軸方向（第１方向）に連結する。なおこの図では、基板２，３，４とフレキシブル基板８，９は、一体化されたフレックスリジッド基板を用いた場合を想定している。
【００１９】
図２について、基板２、および基板３の裏側に、それぞれの基板の剛性を補強し変形しないようにする補強部材１５，１６が配設されている。また、基板４の裏側には電池１７が配設されており、基板４の剛性を補強し変形しないようにする補強部材を兼ねる。その他の構成は図１と同様であるので、ここでの詳細な説明は省略する。
【００２０】
図３について、筐体１８の表側には図１におけるスピーカー５、マイク７、複数のキー６、およびフレキシブルディスプレイ１が露出されるための穴が形成されている。筐体１８内に、図２で示した補強部材が配設された携帯端末装置の回路基板が、内蔵体として内蔵されている。筐体１８は全体構造を保持しつつ、かつある程度の弾性があり可撓性を持つ必要がある。ここではゴム材のようなものを想定している。
【００２１】
（動作）
次に、上述した携帯端末装置を屈曲させた時の動作について説明する。
【００２２】
図４は、図３で示した携帯端末装置を横から見た図を示す。構成は図１〜図３について示したものと同じであるため、ここでの詳細な説明は省略する。
【００２３】
図４（ａ）は屈曲していない状態、図４（ｂ），（ｃ）は屈曲した状態である。図４（ｂ），（ｃ）に示すように、非可撓性のデバイスである基板２，３，４は屈曲しないが、可撓性のデバイスであるフレキシブルディスプレイ１、フレキシブル基板８，９，１０、および筐体１８が屈曲することで、全体が屈曲する。図３について見ると、携帯端末装置はｙ軸方向に沿って上下（ｚ軸方向）に屈曲する。
【００２４】
フレキシブル基板８，９，１０のような可撓性を有したデバイスで非可撓性のデバイスをｙ軸方向（第１方向）に直線的に連結することにより、全体として可撓性を有した携帯端末が実現できる。フレキシブルディスプレイ１も可撓性であり、非可撓性のデバイスを連結する要素となりうる。ここで、屈曲の内側と外側では、長さに差異が発生するため、フレキシブル基板８，９，１０にはあらかじめ余長を持たせることが必要である。
【００２５】
（効果）
全体で可撓性を有した携帯端末装置とすることにより、ズボンのポケットに入れた場合に痛いと感じない、また衣服に負担をかけない等の点で、携帯時において人との親和性の高い携帯端末装置を得ることができる。すなわち、よりウェアラブルな携帯端末装置が実現可能である。
【００２６】
また、携帯端末装置に力が加わったときは屈曲可能な部分が屈曲することで力が分散するため、携帯端末装置の実使用環境における耐久性を向上させることが可能である。
【００２７】
＜実施の形態２＞
（構成）
図５は、実施の形態２に係る、回路基板の状態を示した携帯端末装置の斜視図を示す。
なお、図に示すように、水平方向であって装置の横方向（左右方向）をｘ軸方向、水平方向であって前記ｘ軸方向に対し垂直な方向（装置の前後方向）をｙ軸方向、垂直方向（上下方向）をｚ軸方向とする。
【００２８】
図５について、電子部品を実装する非可撓性の基板２ａ〜２ｃ，３ａ〜３ｃ，４ａ〜４ｃおよび可撓性のフレキシブルディスプレイ１を有する。フレキシブルディスプレイ１には、フレキシブルディスプレイ1からの信号線を通すための可撓性のフレキシブル基板１０が接続されている。
【００２９】
基板２ｂの表側にはスピーカー５が設置されており、基板３ａ〜３ｃの表側には複数のキー６が設置されている。基板４ａ〜４ｃの表側には複数のキー６が設置され、基板４ｂにはマイク７が設置されている。
【００３０】
フレキシブルディスプレイ１に接続されたフレキシブル基板１０は、基板３ａと接続される。
【００３１】
可撓性のフレキシブル基板（第３要素）２０ａ，２０ｂは非可撓性の複数の基板（第１要素）２ａ〜２ｃをｘ軸方向（第２方向）に連結し、可撓性のフレキシブル基板（第３要素）２１ａ，２１ｂは非可撓性の複数の基板（第１要素）３ａ〜３ｃをｘ軸方向（第２方向）に連結する。可撓性のフレキシブル基板（第３要素）２２ａ，２２ｂは非可撓性の複数の基板（第１要素）４ａ〜４ｃをｘ軸方向（第２方向）に連結する。
【００３２】
また、可撓性のフレキシブル基板（第２要素）８は、非可撓性の複数の基板（第１要素）２ｃ、３ｃをｙ軸方向（第１方向）に連結する。図５において、フレキシブルディスプレイ１の裏側を介して接続されている。可撓性のフレキシブル基板（第２要素）９ａ〜９ｃは非可撓性の複数の基板（第１要素）３ａ〜３ｃ，４ａ〜４ｃをｙ軸方向（第１方向）に連結する。
【００３３】
（動作）
次に、上述した携帯端末装置を屈曲させた時の動作について説明する。
【００３４】
非可撓性である基板２ａ〜２ｃ，３ａ〜３ｃ，４ａ〜４ｃは屈曲しないが、可撓性のデバイスであるフレキシブルディスプレイ１、フレキシブル基板８，９ａ〜９ｃ，１０が非可撓性のデバイスを連結しており、可撓性のデバイスが屈曲することで、携帯端末装置はｙ軸方向に沿って上下（ｚ軸方向）に屈曲する。フレキシブルディスプレイ１も可撓性であり、非可撓性のデバイスを連結する要素となりうる。
【００３５】
また、可撓性のデバイスであるフレキシブルディスプレイ１、フレキシブル基板２０ａ，２０ｂ，２１ａ，２１ｂ，２２ａ，２２ｂが屈曲することで、携帯端末装置はｘ軸方向に沿っても上下（ｚ軸方向）に屈曲する。
【００３６】
（効果）
実施の形態１では携帯端末の長手方向（図３のｙ軸方向）にしか屈曲できなかったが、図５のように配置することにより、２次元的に屈曲可能な携帯端末を実現することができ、実施の形態１と比較して、携帯時における人との親和性がより高く、耐久性を向上させた携帯端末装置を得ることが可能である。
【図面の簡単な説明】
【００３７】
【図１】本発明の実施の形態１に係る携帯端末装置の表側と裏側を示す斜視図である。
【図２】本発明の実施の形態１に係る携帯端末装置の表側と裏側を示す斜視図である。
【図３】本発明の実施の形態１に係る携帯端末装置の表側と裏側を示す斜視図である。
【図４】本発明の実施の形態１に係る携帯端末装置の屈曲時の様子を説明する図である。
【図５】本発明の実施の形態２に係る携帯端末装置の表側を示す斜視図である。
【符号の説明】
【００３８】
１  フレキシブルディスプレイ、２，２ａ〜２ｃ，３，３ａ〜３ｃ，４，４ａ〜４ｃ  基板，５  スピーカー、６  キー、７  マイク、８，９，９ａ〜９ｃ，１０，２０ａ，２０ｂ，２１ａ，２１ｂ，２２ａ，２２ｂ  フレキシブル基板、１２，１３，１４  ＬＳＩ、１５，１６  補強部材、１７  電池、１８  筐体。
【図１】
2008306244.tif 000003
【図２】
2008306244.tif 000004
【図３】
2008306244.tif 000005
【図４】
2008306244.tif 000006
【図５】
2008306244.tif 000007